(57)【要約】【課題】不正治具を用いたメダル計数検知センサの誤動作等による不正行為を防止することができるセキュリティの高い投入メダル選別装置及び遊技機を提供することを目的とする。【解決手段】メダル通路７４０の降下途中でメダルの適否を検知するメダル選別検知センサＳ１と、該メダル選別検知センサＳ１の下流側でメダルの通過枚数を計数するメダル計数検知センサＳ２との間のメダル通路５０に配設された平板状のフラッパ７４０を備え、フラッパ７４０の先端部位をメダル通路５０の基板側に回動させ、メダル通路５０を閉じる閉位置となる方向に、フラッパ７４０を付勢するレバー付勢バネ７３２と、レバー付勢バネ７３２の付勢力に抗して、フラッパ７４０の先端部位を、メダル選別検知センサＳ１の適検知信号に基づいて、メダル通路５０の開閉板２００側に回動させ、フラッパ７４０を壁面に対して略平行な開位置に切り替える通路切替機構５００とを備えた。【選択図】図１２
2012187314.tif 000002
【特許請求の範囲】
【請求項１】
立姿で対向する基板と開閉板との対向面間にメダルを自重により縦方向から横方向へと転動させて降下させる少なくとも略Ｌ形状に配された縦方向通路と横方向通路とを有するメダル通路を設け、該メダル通路には降下途中でメダルの適否を検知するメダル選別検知センサと、該メダル選別検知センサの下流側でメダルの通過枚数を計数するメダル計数検知センサとを設け、前記メダル通路を降下する適正なメダルを取り込むメダル選別装置であって、
前記メダル選別検知センサと前記メダル計数検知センサとの間のメダル通路に配設され、前記メダル通路を形成している前記開閉板側の位置で該メダル通路の通路幅方向に軸支された軸支部を回動支点として回動可能に構成した平板状のフラッパと、
該フラッパにおいて、前記回動支点より前記メダル通路の上流側の先端部位が該メダル通路の基板側となるように前記フラッパを回動させ、前記メダル通路を閉じる閉位置となる方向に、前記フラッパを付勢する付勢手段と、
前記付勢手段の付勢力に抗して、前記フラッパの先端部位が前記メダル通路の開閉板側となるように前記フラッパを回動させ、前記フラッパを前記メダル通路を構成する壁面に対して略平行な開位置に切り替える通路切替手段とを備え、
該通路切替手段を、前記メダル選別検知センサの適検知信号に基づいて、前記フラッパを前記開位置に切り替える構成とした
メダル選別装置。
【請求項２】
前記通路切替手段を、
前記メダル選別検知センサと、
該フラッパを前記閉位置から前記開位置に切り替える駆動手段と、
前記メダル選別検知センサによる適検知信号に基づいて前記駆動手段の駆動を制御する制御手段とで構成した
請求項１に記載のメダル選別装置。
【請求項３】
前記フラッパを、
該フラッパの先端部位を小幅に形成し、基端部位を前記メダル通路の略全幅に亘る広幅に形成した凸形平板状とし、
前記フラッパの先端部位と対向する前記基板側のメダル通路面に、
前記閉位置における前記フラッパの先端部位の沈み込みを許容するフラッパ先端没入部を設けた
請求項１または２に記載のメダル選別装置。
【請求項４】
前記メダル通路における前記フラッパの下流部分において、前記メダル通路を形成する前記開閉板における前記基板に対する反対側に、不適正なメダルを排出するメダル排出通路を設け、
前記閉位置の前記フラッパによって、前記メダル通路における前記フラッパの上流部分と、前記メダル排出通路とを連通する構成とした
請求項１、２または３に記載のメダル選別装置。
【請求項５】
前記フラッパの開動作を検知するフラッパ開動作検知手段を備えた
請求項２または３に記載のメダル選別装置。
【請求項６】
請求項１乃至５に記載のメダル選別装置を搭載した
遊技機。
【発明の詳細な説明】
【技術分野】
【０００１】
この発明は、例えばスロットマシンなどの遊技機に備えられる投入メダル選別装置に関し、さらに詳しくはメダル計数検知センサのセキュリティを高めた投入メダル選別装置及び遊技機に関する。
【背景技術】
【０００２】
従来、投入メダル選別装置（メダルセレクタ）は遊技機の投入口より投入されたメダルを、内部に設けたメダル通路の入口で適正な大きさのメダルか不適正な大きさのメダルかを選別した後、適正な大きさのメダルのみを前記メダル通路を通過させ、真偽選別と計数とを実行して内方に取り込んでいる。
【０００３】
詳しくは、前記メダル通路に、真偽選別するメダル選別検知センサと、メダルの受付枚数を計数するメダル計数検知センサを備えており、適正な大きさのメダルのうち不適正なメダル類や所定枚数を越えて投入された余剰メダルをメダル通路より排除して返却口に返却している。
【０００４】
ところで、投入口からメダルを投入することなく、外部から不正行為により内部のメダル計数検知センサを誤動作させて、メダルの計数を不正に増加させる所謂「ゴト」行為が問題になっている。例えば、特殊な不正治具を投入口から挿入し、その挿入させた不正治具によってメダル計数検知センサを誤動作させる不正方法が問題になっている。
【０００５】
その不正対策として、遊技機のメダル通路を開閉するシャッタ部材を内部に備え、例えば、遊技中などのメダル受入非許容時に、このシャッタ部材により不正治具の挿入を遮断する不正対策を施した遊技機が知られている(例えば特許文献１参照)。
【０００６】
しかし、シャッタ部材をメダル通路に突出させて該メダル通路を閉鎖するこの遊技機では、例えば、遊技中などのメダル受入非許容時には、メダル通路を閉鎖するシャッタ部材により不正治具の挿入を防止できるものの、メダルの投入を許容するメダル受入許容時には、上記シャッタ部材はメダル通路を開放しているため、不正治具の挿入による不正行為を防止することはできなかった。
【特許文献１】特開２００５-３０４９０３号
【発明の開示】
【発明が解決しようとする課題】
【０００７】
そこでこの発明は、不正治具を用いたメダル計数検知センサの誤動作等による不正行為を防止することができるセキュリティの高い投入メダル選別装置及び遊技機を提供することを目的とする。
【課題を解決するための手段】
【０００８】
この発明は、立姿で対向する基板と開閉板との対向面間にメダルを自重により縦方向から横方向へと転動させて降下させる少なくとも略Ｌ形状に配された縦方向通路と横方向通路とを有するメダル通路を設け、該メダル通路には降下途中でメダルの適否を検知するメダル選別検知センサと、該メダル選別検知センサの下流側でメダルの通過枚数を計数するメダル計数検知センサとを設け、前記メダル通路を降下する適正なメダルを取り込むメダル選別装置であって、前記メダル選別検知センサと前記メダル計数検知センサとの間のメダル通路に配設され、前記メダル通路を形成している前記開閉板側の位置で該メダル通路の通路幅方向に軸支された軸支部を回動支点として回動可能に構成した平板状のフラッパと、該フラッパにおいて、前記回動支点より前記メダル通路の上流側の先端部位が該メダル通路の基板側となるように前記フラッパを回動させ、前記メダル通路を閉じる閉位置となる方向に、前記フラッパを付勢する付勢手段と、前記付勢手段の付勢力に抗して、前記フラッパの先端部位が前記メダル通路の開閉板側となるように前記フラッパを回動させ、前記フラッパを前記メダル通路を構成する壁面に対して略平行な開位置に切り替える通路切替手段とを備え、該通路切替手段を、前記メダル選別検知センサの適検知信号に基づいて、前記フラッパを前記開位置に切り替える構成としたことを特徴とする。
【０００９】
上記適検知信号は、メダル選別検知センサによって適正なメダルであると検知された際の検知信号である。
【００１０】
この発明によると、フラッパはその上流のメダル選別検知センサが適正なメダルを検知した時のみ開操作し、適正なメダルを検知しなければフラッパが閉位置を維持して、メダル通路を閉じたままである。
【００１１】
また、フラッパはメダル計数検知センサの上流であるため、閉位置にあるフラッパにより通路空間が遮断されたときは、その下流にあるメダル計数検知センサの位置へは該メダル通路の通路空間を通して不正治具を挿入できない。このため、外部から不正にメダル計数検知センサを操作してメダルの枚数を増加させるような不正行為を完全に防止することができる。
【００１２】
また、適正なメダルの投入がない場合は付勢手段によってフラッパが閉位置を維持しているため、このフラッパによってメダル計数検知センサを保護することができる。このため、メダル計数検知センサのセキュリティ及び信頼性を確実に高めることができる。
【００１３】
この発明の態様として、前記通路切替手段を、前記メダル選別検知センサと、該フラッパを前記閉位置から前記開位置に切り替える駆動手段と、前記メダル選別検知センサによる適検知信号に基づいて前記駆動手段の駆動を制御する制御手段とで構成することができる。
【００１４】
前記駆動手段は、例えば駆動源をソレノイドで構成し、該ソレノイドのＯＮ・ＯＦＦに連動させてフラッパを開操作することができる。  
前記フラッパの開操作は、ソレノイド等の駆動に基づいて行うことができる。また、その開操作タイミングはメダル選別検知センサによる適検知信号に基づいて制御する制御手段の制御信号によって最適なタイミングでフラッパを開操作することができる。
【００１５】
またこの発明の態様として、前記フラッパを、該フラッパの先端部位を小幅に形成し、基端部位を前記メダル通路の略全幅に亘る広幅に形成した凸形平板状とし、前記フラッパの先端部位と対向する前記基板側のメダル通路面に、前記閉位置における前記フラッパの先端部位の沈み込みを許容するフラッパ先端没入部を設けることができる。  
上記フラッパ先端没入部は、前記メダル通路面に形成した凹部または開口部で構成することができる。
【００１６】
平板状のフラッパを閉位置とした際、軸支部を回動支点としてフラッパが通路厚み方向に対して傾斜し、その先端部位が基板側のメダル通路面に設けたフラッパ先端没入部に沈み込んだ状態で閉じるため、通路厚み方向を完全に閉鎖することができる。また、フラッパの基端部位をメダル通路の略全幅に亘る広幅で形成しているため、通路幅方向についても確実に閉鎖することができる。
【００１７】
さらに、フラッパの先端部位を小幅に形成することで、これと対向する基板側に設けた凹部または開口部で構成するフラッパ先端没入部を極力小さくして、塵埃の侵入や液体の浸入等を抑制することができる。
【００１８】
またこの発明の態様として、前記メダル通路における前記フラッパの下流部分において、前記メダル通路を形成する前記開閉板における前記基板に対する反対側に、不適正なメダルを排出するメダル排出通路を設け、前記閉位置の前記フラッパによって、前記メダル通路における前記フラッパの上流部分と、前記メダル排出通路とを連通する構成とすることができる。
【００１９】
この場合は、メダル選別検知センサによって不適正なメダルと検知されると、閉位置にあるフラッパによって、不適切なメダルをメダル排出通路に導き、メダル排出通路を通って排出することができる。このように、適正なメダルを検知しなければフラッパが閉位置を維持して、閉位置にあるフラッパによりメダル通路を塞ぐとともに、不適正と判定されたメダル類や不正治具等のメダル以外の挿入物を全てメダル排除通路に導くことができる。
【００２０】
また、単一のフラッパを、下流側のメダル通路へ適正なメダルを案内するガイド部材と、メダル排出通路へ不適正なメダルを案内するガイド部材として利用できるため、部品点数の削減及び配置スペースの削減が図れ、ひいては装置全体の小型化が図れる。
【００２１】
またこの発明の態様として、前記フラッパの開動作を検知するフラッパ開動作検知手段を備えることができる。  
フラッパ開動作検知手段によって、フラッパが適正に開動作されているか否かを該フラッパが動作するごとに確認することができる。また、フラッパの開動作に連動して検知できるため正確な対応がとれ、効率のよい検知構造が得られる。
【００２２】
また、この発明は、上述のメダル選別装置を搭載した遊技機であることを特徴とする。  
このように構成された投入メダル選別装置を搭載する遊技機を用いれば、メダル計数検知センサに対する不正を防止した高セキュリティを確保した遊技機として運用することができる。
【発明の効果】
【００２３】
この発明によると、不正治具を用いたメダル計数検知センサの誤動作等による不正行為を防止することができるセキュリティの高い投入メダル選別装置及び遊技機を提供することができる。
【図面の簡単な説明】
【００２４】
【図１】スロットマシンを示す外観斜視図。
【図２】スロットマシンの前面扉を開けた内部構造を示す斜視図。
【図３】メダルセレクタの開閉板側を示す斜視図。
【図４】メダルセレクタの分解斜視図。
【図５】メダルセレクタの開閉板の構成を示す説明図。
【図６】メダルセレクタの基板の外面を示す斜視図と背面図。
【図７】イジェクトボタンの押下前と押下後の状態を示す説明図。
【図８】イジェクトボタンの押下過程を示す要部縦断面図。
【図９】イジェクトボタンの押下過程を示す要部拡大斜視図。
【図１０】イジェクトボタンの押下過程を示す要部横断面図。
【図１１】入口で不適正な大きさのメダルを取込規制した状態を示す斜視図。
【図１２】フラッパの開状態と閉状態を示す要部断面図。
【図１３】フラッパが開閉される状態を示す要部断面図。
【図１４】メダルセレクタの制御回路ブロック図。
【発明を実施するための形態】
【００２５】
この発明の一実施例を以下図面に基づいて説明する。
【実施例】
【００２６】
図面は遊技機の一例として遊技ホールに設置されるスロットマシンを示し、図１はスロットマシンの外観斜視図を示している。このスロットマシン１１は接客対応される前面上部にパネル１２とリール部１３を有し、前面中央の幅方向に３個の並列するストップボタン１４を有し、その左側にスタートレバー１５と掛け数設定ボタン１６ａと精算ボタン１６ｂを、右側に返却ボタン１７とメダルＭを１枚ずつ投入するための投入口１８とを有し、これらの前面下部に受皿１９を有している。
【００２７】
そして、プレーヤがスロットマシン１１を遊技利用するときに、前記投入口１８にメダルＭが１枚ずつ投入される。投入されたメダルＭは後述するメダル選別装置(メダルセレクタ)２５で選別され、有効と選別された適正なメダルＭは内部に取込まれ、不適正と選別されたメダル類や所定枚数を越える余剰メダルはメダル払出シュート２６及び返却口２７を介して受皿１９へと返却される（図２参照）。また、プレーヤが遊技を中止するために清算ボタン１６ｂを押下操作した場合もメダルＭは受皿１９へと返却される。
【００２８】
図２はスロットマシン１１の前面扉１１ａを片開き式に開口した扉の内部構造を示す斜視図である。この開口されたスロットマシン本体１１ｂには、内部空間の上部に制御部１１ｃを設置し、中央部に外周面の絵柄の位置を回転・停止して遊技利用させる３列のリール部１３を設置し、下部の中央にメダルＭの取込み、及び払い出し用のメダル払出装置２１を設置し、その左側に電源装置２２を設置し、右側にオーバフロータンク２３を設置している。前記制御部１１ｃはメダルセレクタ２５の信号を処理し、またスロットマシン１１の各部を制御する。
【００２９】
一方、前面扉１１ａには、上部より下部にかけてリールカバー２４と、メダルＭの適否を選別するメダルセレクタ２５と、メダル払出シュート２６と、返却口２７とをこの順に有している。そして、投入口１８に投入されたメダルＭは一旦メダルセレクタ２５に導かれ、ここで適否が選別された後、受付許可されたメダルはメダルセレクタ２５の出口に接続されているメダル搬送通路２５ａを介して前記メダル払出装置２１の上部に備えられているホッパタンク２１ａに受け入れられる。これに対し、メダルセレクタ２５で受付拒否されたメダルＭは、メダル払出シュート２６及び返却口２７を介して受皿１９へと返却される。
【００３０】
次に、メダルセレクタ２５の構成について説明する。図３（Ａ）はメダルセレクタ２５の開閉板側（表面側）を示す外観斜視図、図３（Ｂ）は開閉板側の前カバー４００を開けた状態を示す外観斜視図、図４はメダルセレクタ２５の分解斜視図、図５（Ａ）はメダルセレクタ２５の開閉板側を示す正面図、図５（Ｂ）は図５（Ａ）のａ−ａ線矢視断面図、図５（Ｃ）は開閉板２００の内面側を示す背面図、図６（Ａ）はメダルセレクタ２５の基板１００の外面を示す斜視図、図６（Ｂ）は基板１００の外面を示す背面図である。
【００３１】
このメダルセレクタ２５は、垂直に起立させた基板１００の左右に、開閉板２００と押し板３００との２つの平板を平面対設させて構成し、その前面の開閉板２００側を前カバー４００で覆っている。
【００３２】
前記基板１００は横長の長方形状を有し、この横長の長方形状の内面（表面側）に、メダルＭを搬送ガイドするメダル通路５０の片面が形成されている。また、外面（裏面側）にメダルＭを選別動作させるための各部材が取付けられている。
【００３３】
前記基板１００の内面には、図３乃至図５において、左側に開閉板２００が平面対設され、右側に押し板３００が平面対設されている。開閉板２００は金属製の平板で構成され、基板１００の内面中央上部に設けられる軸受部１０１に該開閉板２００の支軸２０１が回動自由に軸支され、該支軸２０１を回動支点に基板１００と平面対向する方向に該開閉板２００の下部側が片開き式に開閉許容されて基板１００の内面左側上部に配置されている。さらに、開閉板２００は支軸２０１の部分に巻回して備えられたコイルバネ２０２により、該開閉板２００を常時基板１００側に押し付けるように付勢している。
【００３４】
また、押し板３００は基板１００の内面右側上部に設けられる軸受部１０２に該押し板３００の支軸３０１が回動自由に軸支され、該支軸３０１を回動支点に基板１００と平面対向する方向に該押し板３００の下部側が片開き式に開閉許容されて基板１００の内面右側上部に配置されている。
【００３５】
さらに、押し板３００は支軸３０１の部分に巻回して備えられたコイルバネ３０２により、該押し板３００を常時基板１００側に押し付けるように付勢している。これら基板１００に対する開閉板２００と押し板３００との対向面間で後述するメダル通路５０を構成している。
【００３６】
上述のメダル通路５０は、図３及び図４にも示すように基板１００に開閉板２００と押し板３００を配置した状態で、その左上面に横長に細長く開口する入口５１と、右側下部の側面に縦長に細長く開口する出口５２との間を結ぶ少なくとも略Ｌ形状に形成されている。そして、この略Ｌ形状のメダル通路５０の入口５１がスロットマシン１１の投入口１８と対応する下方に接続されている。このメダル通路５０は縦方向通路Ｌ１と、斜め下方に傾斜して出口５２に至る横方向通路Ｌ２と、これらの間を滑らかな湾曲状に接続する湾曲部Ｌ３とから構成される。
【００３７】
そして、縦方向通路Ｌ１では不適正な大きさ（厚さ・径長）のメダルＭを受付規制して排除する後述する不適正メダル排除機構５００が備えられる。また、横方向通路Ｌ２では不適正な種別のメダル類を排除する後述する通路切替機構７００が備えられる。
【００３８】
前記メダル通路５０は、上流側では基板１００と開閉板２００とを対向させて通路を構成し、下流側では基板１００と押し板３００とを対向させて通路を構成している。
【００３９】
詳しくは、前記横方向通路Ｌ２の一側面となる基板１００の内面側には、立姿で転動するメダルＭの上縁部をガイドする逆Ｌ形ガイド部１０５と、このメダルＭの一側面に平面対応してガイドする平面ガイド部１０６とを有している。これと対向して、横方向通路Ｌ２の上流側の他側面となる開閉板２００側には、前記逆Ｌ形ガイド部１０５と対向する平面と、前記平面ガイド部１０６とメダルＭの下縁部をガイドするＬ形ガイド部２０４とを有している。そして、逆Ｌ形ガイド部１０５と該開閉板２００の平面的な内面との対向面間でメダルＭの上縁部を凹状にガイドする上ガイド部５３を構成し、平面ガイド部１０６とＬ形ガイド部２０４との対向面間でメダルＭの下縁部を凹状にガイドする下ガイド部５４を構成している（図８参照）。
【００４０】
さらに、横方向通路Ｌ２の下流側にあっては、その横方向通路Ｌ２の一側面となる基板１００の内面側に既述した前記逆Ｌ形ガイド部１０５と前記平面ガイド部１０６を有するとともに、メダルＭの下縁部をガイドするL形ガイド部１１６を有している。これと対向して横方向通路Ｌ２の下流側の他側面となる押し板３００側には平面的な内面を有し、前記逆Ｌ形ガイド部１０５と前記L形ガイド部１１６に該押し板３００をそれぞれ平面対向させた対向面間でメダルＭの上縁部を凹状にガイドする上ガイド５３と、メダルＭの下縁部を凹状にガイドする下ガイド部５４を構成している。
【００４１】
メダル通路５０の入口５１では適正な大きさのメダルＭは受入許容し、大径メダルや厚メダルのように不適正な大きさのメダルＭを受入規制して排除するため、メダル通路５０の入口５１近傍には不適正メダル排除機構５００を備えている。
【００４２】
次に、不適正メダル排除機構５００について説明する。図７（Ａ）はイジェクトボタン押下前の状態を示す縦断面図、図７（Ｂ）はイジェクトボタン押下後の状態を示す縦断面図、図８（Ａ）乃至（Ｃ）はイジェクトボタンの押下過程を示す図６（Ｂ）のａ−ａ線矢視断面図、図９（Ａ）乃至（Ｃ）はイジェクトボタンの押下過程を示す要部拡大斜視図、図１０（Ａ）乃至（Ｃ）はイジェクトボタンの押下過程を示す図５（Ａ）のｂ−ｂ線矢視断面図である。
【００４３】
この不適正メダル排除機構５００は、メダル排除用のイジェクトボタン５１０と入口可変スライダ５２０とから構成される。
【００４４】
イジェクトボタン５１０は軸状を有して、図９に示すようにメダル通路５０の入口５１よりも左側（基板１００の中央側）に取り付けられ、かつ開閉板２００と対向する高さ位置で基板１００に貫通された摺動孔１０３に摺動自在に支持されている。このイジェクトボタン５１０は外端部が返却ボタン１７の内端部と対向して受圧許容状態にある。また、イジェクトボタン５１０の内端部が開閉板２００の内面と対向して押下可能な対応状態にある。このため、返却ボタン１７が押されると、この押下力を受けたイジェクトボタン５１０は直進し、その内方に対向する開閉板２００を押し開くように構成されている。また、イジェクトボタン５１０の外端部には返却ボタン１７を接続するための返却ボタン接続孔５１３（図８）が開口されている。
【００４５】
さらに、イジェクトボタン５１０には、軸方向よりメダル通路５０の入口５１側に傾斜して備えられる傾斜押圧片５１１が備えられている。この傾斜押圧片５１１は該イジェクトボタン５１０の上部に起立し、その起立した上部が略水平な平板状を有し、かつその平板状の先端部を入口側に向けて軸方向より斜め前方に４５度程度の傾斜角度で平行四辺形状に延出させている。
【００４６】
この傾斜押圧片５１１がイジェクトボタン５１０の摺動を妨げないように摺動孔１０３の上部には摺動許容溝１０３ａが開口されている。そして、延出された傾斜押圧片５１１の両側の傾斜側面５１２が後述する入口可変スライダ５２０の方向変換接触部５２１と摺動接触される。
【００４７】
上述の入口可変スライダ５２０は横長のプレート状を有し、入口５１の通路幅方向に平行して配置される。この入口可変スライダ５２０の一側に方向変換接触部５２１を有し、他側にコ形開口端部５２２とスライドガイド孔５２３を有して構成される。
【００４８】
入口可変スライダ５２０には、傾斜押圧片５１１の挿入を受け入れる傾斜挿通孔５２４が設けられている。この傾斜挿通孔５２４の左右両側には傾斜側面５１２にそれぞれ接触対応する方向変換接触部５２１が設けられている。これにより、上述したイジェクトボタン５１０を進退させると、軸部だけでなく傾斜押圧片５１１も進退し、この傾斜押圧片５１１の傾斜側面５１２が傾斜挿通孔５２４の方向変換接触部５２１に摺動し、イジェクトボタン５１０の進退する動きに入口可変スライダ５２０が追従してスライドする。
【００４９】
これらを互いに傾斜接触させることにより、イジェクトボタン５１０の進退する動きに連動して入口可変スライダ５２０をイジェクトボタン５１０の進退方向と略直角の通路幅方向の動きに方向変換させてスライドさせることができる。
【００５０】
イジェクトボタン５１０は開閉板２００の基板１００側へ押し付けられる方向への付勢力により、非押圧方向に付勢されている。したがって、傾斜押圧片５１１と方向変換接触部５２１との関係から、方向変換接触部５２１を備える入口可変スライダ５２０は、メダル通路５０側方向（図９の右方向）に付勢され、定位置となっている。
【００５１】
コ形開口端部５２２は、メダル通路５０の入口５１の一部を構成している通路幅方向のコ形状の開口端部であり、入口可変スライダ５２０が定位置にあってコ形開口端部５２２がメダル通路５０に突出しているときは、ここで不適正な厚さの厚メダルを受け止めて取込規制する役目を有している。
【００５２】
また、このコ形開口端部５２２のコ形内面を外広がりに傾斜する傾斜ガイド面５２２ａに形成している。つまり、コ形を形成する内面のうち対向する内面同士の間隔を、基端側より開放端側を拡げてハ字状を形成し、その内面を傾斜ガイド面５２２ａとしている。これにより、このコ形に入る様々な厚さの不適正な厚メダルの周縁部を受け止めることが可能になる。
【００５３】
さらに、コ形開口端部５２２に対しては、コ形内面の通路上流側に面取り部５２２ｂを形成している。この場合は、速やかなメダルＭの転動の要請により、メダル通路５０に厚さ方向の余裕が設けられた場合であっても、メダル通路５０からコ形開口端部５２２への連通状態に段差をなくすことができ、滑らかにメダルＭを転動させることができる。
【００５４】
また、図６にも示すように、通路幅方向に沿って配設された横長のプレート状の入口可変スライダ５２０にはその通路幅方向に沿って横長のスライドガイド孔５２３を開口し、ここに基板１００の外面に突出させたスライドガイド軸１０４を挿通させて、入口可変スライダ５２０を通路幅方向にスライド可能に支持している。
【００５５】
上述のイジェクトボタン５１０は、返却ボタン１７の押下力を待機している押下待機状態ではその先端が開閉板２００と対接し、入口可変スライダ５２０もスライド待機状態にある。この入口可変スライダ５２０の押下待機状態ではコ形開口端部５２２は図９（Ａ）に示すように、適正な厚さのメダルＭを受入許容し、厚メダルを受け入れ規制する位置に待機されている。
【００５６】
そして、イジェクトボタン５１０が押されることで、これに連動して入口可変スライダ５２０がスライドし、コ形開口端部５２２は、図９（Ｂ）及び図９（Ｃ）に示すように、メダル通路５０から退避し、通路幅方向における拡大方向（図９では左方向）にスライドする。
【００５７】
このため、イジェクトボタン５１０は、返却ボタン１７が押されると、直進してその前方に対向する開閉板２００を押し開くことができる。また、これと同時に傾斜押圧片５１１が入口可変スライダ５２０を直進方向に対し斜め方向に押して入口可変スライダ５２０のコ形開口端部５２２をメダル通路５０から退避させ、通路幅方向における拡大方向にスライドさせることができる。
【００５８】
また、返却ボタン１７の押下操作に応じてその内方で進退するイジェクトボタン５１０の進退及び入口可変スライダ５２０のスライドが実行され、この結果、入口５１の通路幅方向の開口量が拡縮される。またこのとき、イジェクトボタン５１０と入口可変スライダ５２０との間の傾斜摺動作用によって滑らかな開閉操作ができる。
【００５９】
このように、返却ボタン１７の押下に連動してコ形開口端部５２２を通路幅方向に移動させてメダル通路５０から退避させ、通路幅方向を広げると同時に、開閉板２００を開操作して基板１００と開閉板２００との対向面間を開口させることができる。このため、通路幅方向と通路厚み方向とを同時に広げて厚メダルを下方に落下させて排除することができる。つまり、メダル通路５０からコ形開口端部５２２を退避させることで、コ形開口端部５２２に挟まったメダルＭをイジェクト動作と連動して自動的に排除することができる。
【００６０】
一方、この返却ボタン１７の押下を解除すれば、コ形開口端部５２２と開閉板２００とはそれぞれ付勢力により元の位置に戻る。
【００６１】
一方、大径メダルに対しては、図５(Ｃ)に示すように、開閉板２００の入口対応部分に入口５１の通路幅間隔Ｗと対応した両側に大径メダル係止爪２０５を突出させて設けている。
【００６２】
これにより、適正な外径を有するメダルＭは通路幅間隔Ｗより小さいため通過するが、大径メダルの場合は通路幅間隔Ｗより大きいため、両側の大径メダル係止爪２０５に係止されて取込規制される。
【００６３】
そして、開閉板２００が開操作されることで、大径メダルは入口５１から落下して排除される。また、この開閉板２００の中央上部にはスライド回避口２０６を開口して、通路厚み方向に部分的に大きくなるコ形開口端部５２２のスライドを妨げないようにしている。
【００６４】
そして、開閉板２００を閉じると、該開閉板２００と対向する基板１００との対向面間に、メダルＭを立姿で転動させる通路空間としてのメダル通路５０が形成される。
【００６５】
これに対し、開閉板２００を開けると、下ガイド部５４を形成していた凹状部分の対向面間が離れてメダルＭを転動させていた底面が開放され、メダルＭは自重によりメダル通路５０から下方に落下して排除される。
【００６６】
また、基板１００の内面に形成されているメダル通路５０と対応する平面ガイド部１０６には複数条のリブ１０７を流下方向に平行させて形成している。これにより、メダルＭとの接触抵抗を少なくし、メダルＭを円滑に流下させるように構成している。
【００６７】
また、適正なメダルＭより小さい小径メダル類の場合はメダル通路５０の入口５１を降下してしまうため内部で排除する必要がある。そこで、開閉板２００には、図３乃至図５にも示すように、横方向通路Ｌ２の上流側と対向する部位に、小径のメダル類を排除させる後述する横排除口２０３を開口している。
【００６８】
上述の横排除口２０３は、開閉板２００の上ガイド部５３と下ガイド部５４との上下間に、横方向通路Ｌ２に沿う大きな横長の楕円形状に開口している。この横排除口２０３を介して不適正な小径メダルを通路外に排除する外径寸法による選別を実施し、適正な大きさのメダルＭのみを通過させるように構成している。この場合、横排除口２０３の上下の開口間隔が適正メダルと小径メダルを区別するメダル判別部となっている。
【００６９】
また、図４乃至図６に示すように、横方向通路Ｌ２の上流側に位置する基板１００の内面には、横排除口２０３と対向する小径メダル排除レバー６００を備えている。
【００７０】
この小径メダル排除レバー６００は、基板１００の外面側より横長の長孔１０８を介して、該小径メダル排除レバー６００の先端部がメダル通路５０の上部に向けて付勢突出されている。この小径メダル排除レバー６００は、基板１００の外面に軸支された支軸１０９を回動支点に回動し、該小径メダル排除レバー６００の基端部に取り付けられたコイルバネ１１０で該小径メダル排除レバー６００の先端部を常時メダル通路５０に向けて出没可能に付勢突出させている。
【００７１】
そして、メダル通路５０を転動してきたメダルＭが小径メダルのときは、該小径メダルの上端が上ガイド部５３にガイドされないので小径メダル排除レバー６００により、小径メダルの平面部が押されて、その平面方向に対向する開閉板２００の横排除口２０３より排除される。排除された小径メダルは開閉板２００と前カバー４００との間を通ってメダル払出シュート２６の受口まで案内され、返却される。
【００７２】
また、上述の基板１００の裏側にはメダル通路５０に沿ってメダル選別検知センサＳ１とメダル計数検知センサＳ２がこの順に配設されている。そして、これら検知センサＳ１，Ｓ２の略中間に通路切替機構７００が配設されている。
【００７３】
次に、通路切替機構７００の構成について説明する。図１１（Ａ）はメダルセレクタで不適正なメダルＭを取込規制した状態を示す斜視図、図１１（Ｂ）はメダルＭの取込規制状態を開閉板を外して示す斜視図、図１２（Ａ）はフラッパの開状態を示す図５（Ａ）のｃ−ｃ線矢視断面図、図１２（Ｂ）はフラッパの閉状態を示す図５（Ａ）のｃ−ｃ線矢視断面図、図１３（Ａ）はフラッパの開状態を示す図６（Ｂ）のｂ−ｂ線矢視断面図、図１３（Ｂ）はフラッパの閉状態を示す図６（Ｂ）のｂ−ｂ線矢視断面図である。
【００７４】
この通路切替機構７００は、ソレノイド７１０と、可動板７２０と、回動レバー７３０と、フラッパ７４０と、メダル排除通路７５０と、通路切替確認検知センサＳ３（図６）とを備えて構成される。
【００７５】
前記ソレノイド７１０は、図６に示すように基板１００の外面側に、前記可動板７２０の基端部７２１を支点に回動可能に配置されている。ソレノイド７１０のＯＦＦ時は図示しない付勢手段（弦巻バネ）によって該可動板７２０の遊端部７２２を押し板３００から離間させ、ソレノイド７１０のＯＮ時は図示しない該付勢手段の付勢力に抗じて該遊端部７２２を押し板３００側に近接させるように構成されている。
【００７６】
また、回動レバー７３０は、該レバー中間部が基板１００の外面に支持された枢支軸１１１に横方向に回動自由に軸支されている。さらに、この回動レバー７３０はレバー基端部７３１と基板１００の外面との間に介在されたレバー付勢バネ７３２によって回動レバー７３０のレバー基端部７３１をメダル通路５０と離れる方向に付勢している。
【００７７】
そして、このレバー基端部７３１に上述の遊端部７２２が対向し、遊端部７２２がレバー基端部７３１を押下したとき、回動レバー７３０のレバー基端部７３１がメダル通路５０に近づく方向に変位する。
【００７８】
さらに、レバー基端部７３１には押し板３００側に延出させたフラッパ操作アーム７３４を延設している。このフラッパ操作アーム７３４が基板１００を貫通してメダル通路５０の通路面に沿って備えられる後述するフラッパ７４０を回動操作するものである。
【００７９】
さらに、この回動レバー７３０のレバー先端部７３３は基板１００の外面に設置された光電検知形の通路切替確認検知センサＳ３によって検知され、これにより後述するフラッパ７４０の動きを検知確認するようにしている。
【００８０】
上述のフラッパ７４０は、平板状を有し、メダル通路５０の下流側を形成している押し板３００側の位置で該メダル通路５０の通路幅方向に突出する支軸７４１が基板１００の内面に形勢されている軸支部１１５に対して回動自由に軸支されている。そして、このフラッパ７４０の支軸７４１を回動支点とし、これより該メダル通路５０の上流側に向けた平板状のフラッパ７４０を回動させる構成としている。
【００８１】
また、このフラッパ７４０の一側には中間部に中間操作軸７４３を突設しており、この中間操作軸７４３が、図１３に示すように、通路厚み方向に僅かに進退可能なフラッパ操作アーム７３４によって軸支されている。このため、ソレノイド７１０がＯＮ制御されると、可動板７２０の遊端部７２２を回動させて回動レバー７３０のレバー基端部７３１を押し、フラッパ操作アーム７３４が押されることで該フラッパ７４０は中間操作軸７４３が通路厚み方向に変位し、フラッパ基端側の支軸７４１を支点に該フラッパ７４０の先端部位がメダル通路５０の押し板３００側となるように該フラッパ７４０が回動し、フラッパ７４０はメダル通路５０の壁面に略平行な開位置となる。
【００８２】
またソレノイド７１０がＯＦＦ制御されると、レバー付勢バネ７３２の付勢力によりフラッパ操作アーム７３４が引かれることでフラッパ７４０は閉位置に戻る。
【００８３】
このように、このフラッパ７４０をソレノイド７１０のＯＮに基づいて回動させ、メダル通路５０の押し板３００側の通路内面と略面一に平行させた状態を開位置とし、ソレノイド７１０がＯＦＦになるとレバー付勢バネ７３２の付勢力により、該フラッパ７４０の先端部位を基板１００側に没入させた状態である閉位置に戻す。
【００８４】
このフラッパ７４０の開動作タイミングは、これより上流側に配置されているメダル選別検知センサＳ１の検知信号に基づいて切り替えるようにしている。つまり、メダル選別検知センサＳ１がメダル未投入でメダルＭを検知していない状態ではフラッパ７４０はレバー付勢バネ７３２の付勢力により閉位置を維持しており、メダル選別検知センサＳ１がメダルを検知したときのみフラッパ７４０を開位置に操作する。ここに用いられるメダル選別検知センサＳ１は基板１００の外面側で降下してきたメダルＭの材質、大きさ（直径）、静電容量、模様（柄）、運動方向などの物理特性から適正なメダルであるか否かを判定するセンサである。例えば、メダルＭを非接触に高速検知する近接センサが適している。
【００８５】
さらに、フラッパ７４０は先端部位を小幅に形成した小幅先端部７４２を有し、基端部位をメダル通路５０の略全幅に亘る広幅にした凸形平板状に設けている。このフラッパ７４０の小幅先端部７４２と対向する基板１００のメダル通路面には、前記フラッパ７４０の閉位置で該フラッパ７４０の小幅先端部７４２を基板１００のメダル通路面より沈み込ませるためのフラッパ先端没入口１１２を開口している。また、このフラッパ７４０の内面と外面には上述した複数条のリブ１０７を有している。
【００８６】
これにより、平板状のフラッパ７４０を閉じた際、支軸７４１を回動支点にフラッパ７４０がメダル通路５０の厚み方向に傾斜し、その小幅先端部７４２が基板側のメダル通路面に沈み込んだ状態で閉じるため、通路厚み方向を完全に閉鎖することができる。また、フラッパ７４０の通路幅方向もメダル通路５０の略全幅に亘る広幅であるため通路幅方向も確実に閉鎖することができる。さらに、フラッパ７４０の先端部位を小幅先端部７４２にすることで、これと対向する基板１００側のフラッパ先端没入口１１２を極力小さくして塵埃の侵入や液体の浸入等を抑制している。
【００８７】
さらに、フラッパ７４０を閉位置にしたとき、メダル通路５０の通路空間を下流側から上流側に向けて斜め下向きに傾斜して、その通路空間を斜めに遮断した状態となる。
【００８８】
このため、フラッパ７４０が傾斜した際の傾斜外面が上流側に対する通路閉鎖面となる。このフラッパ７４０はメダル通路５０を開閉する機能に加えて、閉位置のときにメダルＭを排除させるメダル排除通路７５０を構成する機能を有している。
【００８９】
前記メダル排除通路７５０は、図１２に示すように、フラッパ７４０の外面７４０ａと押し板３００の内面３００ａとの対向面間で構成される。押し板３００の内面３００ａは、フラッパ７４０と対応する位置に、メダル通路５０と同通路方向に対応し、排除入口７５１としてメダルＭを排除できる大きさの凹状の通路空間を形成し、これより図３（Ｂ）に示すように、右端部に下向きに開口する排除出口７５２とを連通させて構成している。
【００９０】
図１２（Ａ）に示すように、フラッパ７４０がメダル通路５０の壁面に対して平行な状態である開位置では該メダル排除通路７５０の排除入口７５１が閉じられた状態にある。そして、図１２（Ｂ）に示すように、閉位置にあるフラッパ７４０がメダル通路５０を閉じると、メダル排除通路７５０の排除入口７５１は開口されて上流側から降下してきた排除すべきメダルＭを該メダル排除通路７５０に通過させて排除出口７５２より排除させることができる。
【００９１】
このように、閉位置にあるフラッパ７４０によりメダル通路５０にメダル排除通路７５０を分岐させて作ることができる。このため、不適正と判定されたメダル類はメダル排除通路７５０に導かれ、不正治具等の挿入物はメダル計数検知センサＳ２にアクセスできない。
【００９２】
このため、フラッパ７４０よりも下流側に位置するメダル計数検知センサＳ２に対しては、外部から不正治具等の挿入物を近づけることができず、該メダル計数検知センサＳ２を誤動作させてメダル計数値を増やすような不正を防止する高セキュリティを確保したスロットマシン１１として運用することができる。
【００９３】
また、閉位置にあるフラッパ７４０の姿勢は、基板１００と押し板３００との対向面間で構成するメダル通路５０において、該フラッパ７４０の支軸７４１が通路厚みを隔てた押し板３００側にあり、これよりフラッパ７４０は小幅先端部７４２が基板側にあるため通路厚みを隔てた通路空間を傾斜姿勢で斜めに仕切った状態にある。このため、上流から降下してきたメダルＭはフラッパ７４０にぶつからず、フラッパ外面の傾斜面上を滑らかに転動して排除させることができる。
【００９４】
さらに、該フラッパ７４０が開動作するごとに回動する回動レバー７３０の動きを通路切替確認検知センサＳ３によって検知するためフラッパ７４０が開動作される動きを検知確認することができる。このため、フラッパ７４０が適正に動作されているか否かを常時監視することができる。
【００９５】
図１４はメダルセレクタ２５の制御回路ブロック図を示し、制御部１４０にはメダル選別検知センサＳ１と、メダル計数検知センサＳ２と、通路切替確認検知センサＳ３と、ソレノイド７１０とが接続される。
【００９６】
前記制御部１４０は、メダル選別検知センサＳ１がメダル通路５０を降下してきたメダルＭを検知した時、メダル選別検知センサＳ１の検知信号の有無によってメダルＭの有効性を判定し、これに基づいてソレノイド７１０をＯＮ・ＯＦＦ制御してフラッパ７４０を開動作させる。
【００９７】
また、メダルがメダル計数検知センサＳ２に導かれたことを検知すると、制御部１４０はメダル計数検知センサＳ２で適正なメダルＭの取込枚数を計数し、また通路切替確認検知センサＳ３でフラッパ７４０が適正に動作していることを確認する。さらに、メダルＭがフラッパ７４０の位置を通過すると、制御部１４０は直ちにソレノイド７１０をＯＦＦしてフラッパ７４０を閉じ、次に降下してくるメダルＭの選別に備える。
【００９８】
このように構成されたメダルセレクタ２５の組立てに際しては、図３及び図４に示すように、各部品が組み付けられた基板１００の上部中央に小さく開口されている連結孔１１３に、開閉板２００の軸支部に設けられているコイルバネ２０２の中央部に突出形成されている引っ掛け部２０２ａを差込んで基板１００の裏面側に引っ掛けることにより、この引っ掛け部２０２ａの付勢作用により基板１００と開閉板２００とが引寄せられた状態に接合される。
【００９９】
同様に基板１００の上部右側に小さく開口されている連結孔１１４に、押し板３００の軸支部に設けられているコイルバネ３０２の中央部に突出形成されている引っ掛け部３０２ａを差込んで基板１００の裏面側に引っ掛けることにより、この引っ掛け部３０２ａの付勢作用により基板１００と押し板３００とが引寄せられた状態に接合される。
【０１００】
また、基板１００における入口５１の組立に際しては、基板１００に入口可変スライダ５２０を取り付ける。このとき、スライドガイド軸１０４で入口可変スライダ５２０のスライドガイド孔５２３を支持して該入口可変スライダ５２０を基板１００にスライド許容させて取り付ける。さらに、入口可変スライダ５２０の傾斜挿通孔５２４にイジェクトボタン５１０の傾斜押圧片５１１を挿入させてイジェクトボタン５１０を基板１００に取り付ける。
【０１０１】
この際、入口可変スライダ５２０とイジェクトボタン５１０は製作段階で単品として製作され、その部品の段階で十分な精度が得られるため、入口５１の組立に際しては、入口可変スライダ５２０とイジェクトボタン５１０とを基板１００の外面に順に取り付けるだけでよく、入口５１の内部空間の厚さ寸法を確保するための高精度の調整をする必要がなく、組み立てるだけで所望の精度が得られ、簡単に組立てることが可能である。特に、コ形開口端部５２２は、単一の部品で構成しているため、投入されたメダルＭの衝撃や、各部のクリアランス（ガタ）による“隙間”がなく、高精度の調整をする必要がなくなる。
【０１０２】
次に、メダルセレクタ２５の選別処理動作について説明する。  
今、スロットマシン１１がメダルＭを受付可能な状態のときに、プレーヤが投入口１８にメダルＭを投入すると、投入されたメダルＭは自重により内方のメダルセレクタ２５に導かれ、ここでメダルＭは起立状態で転動しながらメダル通路５０を降下して取り込まれる。
【０１０３】
このとき、適正な大きさのメダルＭは、降下途中でメダル選別検知センサＳ１がそのメダルＭの有効性を選別し、有効と選別すると内方に１枚ずつ取込まれる。その際、メダルＭを取込んだ枚数が出口近傍のメダル計数検知センサＳ２により計数され、計数された値は制御部１４０へと伝送されて投入枚数が管理される。
【０１０４】
これに対し、著しく径が大きなメダルや肉厚のメダルにあっては、投入口１８の部分で投入規制されて投入できない。また、小径の異種メダルや小径の流通硬貨などの小径のメダル類が誤投入されたときは、通過時に小径メダル類は横排除口２０３と対応する部分で小径排除レバー６００の排除作用によってメダルＭは横倒れして横排除口２０３へと排出される。
【０１０５】
次に、メダル通路５０の入口５１での選別処理動作について説明する。  
今、プレーヤによって投入口１８に外径が僅かに大きめのメダルが誤投入された場合、その外径が大きめのメダルはメダル通路５０の入口５１にさしかかると、その通過幅方向の通路空間より僅かに大きいため開閉板２００に形成されている大径メダル係止爪２０５に引っ掛り、一時的なメダル詰りとなり、後続のメダルＭの投入が不能となる。このメダル詰りが生じたときは、このメダル詰りを解消するためにプレーヤ自身が返却ボタン１７を押下操作する。
【０１０６】
この場合、プレーヤが返却ボタン１７を押し込むと、この返却ボタン１７の操作力Ｐを受けて、開閉板２００が回動し始め、これにより基板１００と開閉板２００との間が開口し、降下規制されていたメダルＭは落下し、その下方に排除されて返却される。
【０１０７】
次に、厚メダルが投入された場合は、投入された厚メダルがメダル通路５０の入口５１にさしかかると、入口５１の通過スペースより厚いため厚メダルの通路幅方向での一端部がコ形開口端部５２２に引っ掛り、一時的なメダル詰りとなり、後続のメダルＭの投入も不能となる。このメダル詰りが生じたときは、このメダル詰りを解消するためにプレーヤ自身が返却ボタン１７を押下操作する。
【０１０８】
この返却ボタン１７が押されると、該返却ボタン１７の直進する動きに連動してイジェクトボタン５１０も直進し、この動きにイジェクトボタン５１０の傾斜押圧片５１１と入口可変スライダ５２０の傾斜挿通孔５２４が傾斜摺動して返却ボタン１７の押下力がイジェクトボタン５１０を介して入口可変スライダ５２０に方向変換接触して伝達される。このため、入口可変スライダ５２０はイジェクトボタン５１０の押下方向と直交する通路幅方向にスライドしてコ形開口端部５２２をメダル通路５０の外へ退避させ、通路幅方向に移動させる。これにより、入口５１の通路幅方向が広げられて、挟まれたメダルが解放されると同時に、イジェクトボタン５１０の先端部が開閉板２００を押して開操作し、基板１００と開閉板２００との対向面間を開口させることができる。このため、通路幅方向と通路厚み方向とを同時に広げることができる。これにより、厚メダルを下方に落下させて確実に排除することができる。また、メダル通路５０からコ形開口端部５２２を退避させることで、コ形開口端部５２２に挟まったメダルＭをイジェクト動作と連動して自動的に排除することができる。
【０１０９】
一方、適正な大きさのメダルＭはメダル通路５０を降下し、メダル選別検知センサＳ１に達すると、該メダル選別検知センサＳ１によってメダルＭの有効性が検知される。このとき、有効と選別された場合は適正なメダルＭのために、フラッパ７４０を開操作し、メダルＭを内方に取り込む。また、フラッパ７４０を通過した直後にメダルＭはメダル計数検知センサＳ２で計数される。そして、計数された値は制御部１４０へと伝送されて投入枚数が管理される。
【０１１０】
これに対し、メダル選別検知センサＳ１が不適正なメダルＭと判定すれば、制御部１４０はフラッパ７４０の閉位置を維持し、閉位置のフラッパ７４０によって、メダル通路５０に分岐されたメダル排除通路７５０が開口されて形成されることになる。これにより、不適正なメダルＭはメダル排除通路７５０を通って排除される。
【０１１１】
このメダル排除通路７５０を備えることによって、メダル通路５０を降下してきたメダルＭを有効と選別しなかったとき、押し板３００を開けるという排除動作を行うことなく排除することができる。このため、押し板３００を開けて横倒しや落下させるようなメダル通路５０からメダルＭを排除させるための開閉動作が不要になる。
【０１１２】
上述のように、返却ボタン１７を押すと同時にメダル通路５０の入口５１が通路厚み方向と通路幅方向とに同時に２方向に効率よく広がる連動構成を有しているため、不適正な大きさのメダルＭの排除を確実に実行でき、しかも部品点数の少ない簡単な構成でありながら高精度の調整が不要な取り付けが可能となる。この結果、メダルセレクタ２５の品質の安定化と低コスト化を図ることが可能になる。
【０１１３】
また、フラッパ７４０はその上流のメダル選別検知センサＳ１がメダルＭを適正と検知した時のみ開操作し、メダルＭを適正と検知しなければフラッパ７４０がメダル通路５０を閉じたままである。また、フラッパ７４０の閉位置はメダル計数検知センサＳ２の上流であるため、フラッパ７４０により通路空間が遮断さているときは、その下流のメダル計数検知センサＳ２の位置へは該メダル通路５０の通路空間を通して不正治具を挿入できない。このため、外部から不正にメダル計数検知センサＳ２を操作してメダルＭの枚数を増加させるような不正行為を完全に防止することができる。
【０１１４】
また、メダルＭの投入がない場合はレバー付勢バネ７３２によってフラッパ７４０が閉位置を維持しているため、このフラッパ７４０によってメダル計数検知センサＳ２を保護することができる。このため、メダル計数検知センサＳ２のセキュリティ及び信頼性を確実に高めることができる。
【０１１５】
また、単一のフラッパ７４０をメダル通路面に沿って小さく配設させ、メダル通路５０とメダル排除通路７５０との共通のガイド部材として利用できるため、部品点数の削減及び配置スペースの削減が図れ、また押し板３００を開閉させないため、メダル通路５０の下流側での開閉スペースの省略が図れ、装置全体の小型化が図れる。
【０１１６】
この発明の構成と、上述の一実施例の構成との対応において、
この発明の投入メダル選別装置は、実施例のメダルセレクタ２５に対応し、
以下同様に、
軸支部は、支軸７４１と軸支部１１５に対応し、
開閉板は、開閉板２００と押し板３００に対応し、
付勢手段は、レバー付勢バネ７３２に対応し、
通路切替手段は、通路切替機構７００に対応し、
遊技機は、スロットマシン１１に対応するも、この発明は請求項に示される技術思想に基づいて応用することができ、上述の一実施例の構成のみに限定されるものではない。例えば、上述の一実施例では、遊技機で利用されるメダルＭを例にとって示したが、これに限らず、硬貨であっても適用することができる。
【産業上の利用可能性】
【０１１７】
メダルをメダルセレクタの内部で選別処理する処理装置の全般に適用することができる。
【符号の説明】
【０１１８】
１１…スロットマシン
２５…メダルセレクタ
５０…メダル通路
１４０…制御部
２００…開閉板
３００…押し板
７００…通路切替機構
７３２…レバー付勢バネ
７４１…支軸
７４２…小幅先端部
７５０…メダル排除通路
Ｓ１…メダル選別検知センサ
Ｓ２…メダル計数検知センサ
Ｓ３…通路切替確認検知センサ
Ｍ…メダル
【図１】
2012187314.tif 000003
【図２】
2012187314.tif 000004
【図３】
2012187314.tif 000005
【図４】
2012187314.tif 000006
【図５】
2012187314.tif 000007
【図６】
2012187314.tif 000008
【図７】
2012187314.tif 000009
【図８】
2012187314.tif 000010
【図９】
2012187314.tif 000011
【図１０】
2012187314.tif 000012
【図１１】
2012187314.tif 000013
【図１２】
2012187314.tif 000014
【図１３】
2012187314.tif 000015
【図１４】
2012187314.tif 000016